(57)【要約】【課題】フロートがコンパクトで浮力のある液面検出装置を提供するものである。【解決手段】液面に応じて変動するフロート９と、一端にフロート９を固定しフロート９の変動に応じて回動するフロートアーム１０と、フロートアーム１０の変動を液面の変動として出力する液面検出装置１において、フロート９を貫通したフロートアーム１０の端部１０ａと、この端部１０ａに固定されフロート９にフロートアーム１０を固定する固定部材１２とを設け、フロート９にフロートアーム１０の端部１０ａを収納する凹部９ｃを設けたものである。【選択図】  図２
2004354322.tif 000002
【特許請求の範囲】
【請求項１】
液面に応じて変動するフロートと、一端に前記フロートを固定し前記フロートの変動に応じて回動するフロートアームと、前記フロートアームの変動を液面の変動として出力する液面検出装置において、前記フロートを貫通した前記フロートアームの端部と、この端部に固定され前記フロートに前記フロートアームを固定する固定部材とを設け、前記フロートに前記フロートアームの端部を収納する凹部を設けたことを特徴とする液面検出装置。
【請求項２】
前記凹部に側面から固定部材を視認することが可能な溝部を設けたことを特徴とする請求項１記載の液面検出装置。
【請求項３】
液面に応じて変動するフロートと、一端に前記フロートを固定し前記フロートの変動に応じて回動するフロートアームと、前記フロートアームの変動を液面の変動として出力する液面検出装置において、前記フロートを貫通した前記フロートアームの端部と、この端部に固定され前記フロートに前記フロートアームを固定する固定部材とを設け、前記フロートの前記フロートアームの端部と前記固定部材との周囲の少なくとも一部に突出部を設けたことを特徴とする液面検出装置。
【請求項４】
前記突出部の高さを前記フロートアームの端部の高さとほぼ同等としたことを特徴とする請求項３記載の液面検出装置。
【発明の詳細な説明】
【０００１】
【発明の属する技術分野】
本発明は、液面検出装置に関し、特に、フロートとフロートアームの固定に関する。
【０００２】
【従来の技術】
従来の液面検出装置は、フロートアームがフロートを貫通し、このフロートを貫通したフロートアームの末端部に、ワッシャなどの固定部材が圧入嵌合若しくはつぶし加締めし、フロートアームにフロートを固定していた（例えば、特許文献１参照）。
【０００３】
【特許文献１】
特開平５−２２３６２６号公報（図６）
【０００４】
【発明が解決しようとする課題】
しかしながら、従来の液面検出装置では、フロートからフロートアームの末端とワッシャが突出しているが、この突出した分の空間には、フロートは存在しないため、フロートの浮力には全く関与していなかった。
【０００５】
そこで、本発明は、この点に鑑みてなされたもので、その主な目的は、フロートがコンパクトで浮力のある液面検出装置を提供するものである。
【０００６】
【課題を解決するための手段】
本発明は前記目的を達成するため、液面に応じて変動するフロートと、一端に前記フロートを固定し前記フロートの変動に応じて回動するフロートアームと、前記フロートアームの変動を液面の変動として出力する液面検出装置において、前記フロートを貫通した前記フロートアームの端部と、この端部に固定され前記フロートに前記フロートアームを固定する固定部材とを設け、前記フロートに前記フロートアームの端部を収納する凹部を設けたものである。
【０００７】
また、前記凹部に側面から固定部材を視認することが可能な溝部を設けたものである。
【０００８】
また、液面に応じて変動するフロートと、一端に前記フロートを固定し前記フロートの変動に応じて回動するフロートアームと、前記フロートアームの変動を液面の変動として出力する液面検出装置において、前記フロートを貫通した前記フロートアームの端部と、この端部に固定され前記フロートに前記フロートアームを固定する固定部材とを設け、前記フロートの前記フロートアームの端部と前記固定部材との周囲の少なくとも一部に突出部を設けたものである。
【０００９】
また、前記突出部の高さを前記フロートアームの端部の高さとほぼ同等としたものである。
【００１０】
【発明の実施の形態】
本発明の液面検出装置は、液面に応じて変動するフロート９と、一端にフロート９を固定しフロート９の変動に応じて回動するフロートアーム１０と、フロートアーム１０の変動を液面の変動として出力する液面検出装置１において、フロート９を貫通したフロートアーム１０の端部１０ａと、この端部１０ａに固定されフロート９にフロートアーム１０を固定する固定部材１２とを設け、フロート９にフロートアーム１０の端部１０ａを収納する凹部９ｃを設けたものである。このように構成したことにより、フロートがコンパクトで浮力のある液面検出装置を提供することができる。
【００１１】
また、凹部９ｃに側面から固定部材１２を視認することが可能な溝部９ｅを設けたものである。このように構成したことにより、フロートがコンパクトで浮力のある液面検出装置を提供することができる。
【００１２】
また、液面に応じて変動するフロート９と、一端にフロート９を固定しフロート９の変動に応じて回動するフロートアーム１０と、フロートアーム１０の変動を液面の変動として出力する液面検出装置１において、フロート９を貫通したフロートアーム１０の端部１０ａと、この端部１０ａに固定されフロート９にフロートアーム１０ａを固定する固定部材１２とを設け、フロート９のフロートアーム１０の端部１０ａと固定部材１２との周囲の少なくとも一部に突出部９ｄを設けたものである。このように構成したことにより、フロートがコンパクトで浮力のある液面検出装置を提供することができる。
【００１３】
また、突出部９ｄの高さをフロートアーム１０の端部１０ａの高さとほぼ同等としたものである。このように構成したことにより、フロートがコンパクトで浮力のある液面検出装置を提供することができる。
【００１４】
【実施例】
図１から図３は本発明の第１実施例を示すもので、以下、本発明を例えば車両用の燃料タンクに適用した場合について説明する。
【００１５】
本実施例では、液面検出装置１は図１に示すように、燃料を収納するタンク２内に収納され、タンク２の開口部に取り付けられる取付板３に設けられている。取付板３の下側に形成したフレーム３ａには、固定接点４と抵抗体５とを印刷形成したセラミックよりなる絶縁基板６と、固定接点５上を摺動する可動接点７を備えた摺動体８とが取り付けられている。
【００１６】
固定接点４は絶縁基板６上に適宜間隔をおいて可動接点７の回動軌道に沿って扇形に複数配列された電極パターンからなる。
【００１７】
抵抗体５は、例えば酸化ルテニウムを主成分とする抵抗材料を焼成してなり、固定接点４を構成する複数列の電極パターンの各一部を連続的に覆うように被着されている。
【００１８】
フロート９は、液面に応じて変動するものである。フロートアーム１０は一端にフロート９を固定し、フロート９の変動に応じて回動するものである。このフロートアーム１０はアームホルダ１１に固定されており、さらに、このアームホルダ１１は摺動体８を固定している。また、フロートアーム１０、アームホルダ１１及び摺動体８は、フレーム３ａに回転可能に支持されている。
【００１９】
燃料の液面に応じてフロート９が上下に変動すると、この変動に伴いフロートアーム１０が回転運動し、摺動体８に取り付け固定された可動接点７が前記液面に応じて絶縁基板６上を摺動するように構成されている。
【００２０】
そして、可動接点７が固定接点４上を摺動することにより、接触した固定接点４の位置と一端側との間にて有効抵抗となる抵抗体５の抵抗値が変化し、この抵抗値の変化を出力するものである。
【００２１】
以下、この液面検出装置１のフロート９とフロートアーム１０との固定を説明する。
【００２２】
フロートアーム１０は、その一部を折り曲げて、端部１０ａと主アーム部１０ｂとを備えている。フロート９は直方体であり、その内部に、フロートアーム１０の端部１０ａが貫通する貫通孔９ａを備えている。また、貫通孔９ａの一方には、フロートアーム１０の主アーム部１０ｂがはまりこむ溝９ｂを備えている。
この溝９ｂは、フロート９がフロートアーム１０の端部１０ａを軸として回転することを防止するものである。
【００２３】
貫通孔９ａの他方には、フロート９を貫通したフロートアーム１０の端部１０ａを収納する凹部９ｃが設けられている。そして、フロート９を貫通した端部１０ａに固定される固定部材１２が設けられている。この固定部材１２としては、板状でドーナツ状のプッシュナットを用いるとよい。固定部材１２にプッシュナットを用いた場合、プッシュナットを端部１０ａに圧入し、プッシュナットとフロートアーム１０の主アーム部１０ｂとで、フロート９を挟んで固定するとよい。
【００２４】
凹部９ｃは、フロートアーム１０の端部１０ａと固定部材１２との周囲を突出させた突出部９ｄを設けたものであり、本実施例では、周囲を切れ目無く突出部９ｄを設けたものである。また、その高さは、フロートアーム１０の端部１０ａの高さ以上である。
【００２５】
この凹部９ｃは、固定部材１２を収納するために、本実施例では、円柱状の窪みであるが、円柱状である必要はなく、四角柱形状でも良いが、フロート９の容積を無駄なく増やすためには、円柱状の凹部９ｃが最適である。
【００２６】
なお、本実施例では、凹部９ｃは、フロートアーム１０の端部１０ａを完全に収納したものであったが、フロートアーム１０の端部１０ａの一部が露出するようにしても良い。言い換えれば、フロートアーム１０の端部１０ａと固定部材１２との周囲を突出させる高さを、フロートアーム１０の端部１０ａとほぼ同等とすればよい。
【００２７】
このように構成したことにより、フロート９からフロートアーム１０の端部１０ａと固定部材１２が突出している部分の空間を、有効活用してフロート９の体積を大きくでき、フロートの浮力を向上させることができる。あるいは、体積を大きくできる分、コンパクトで浮力を得ることができる。
【００２８】
次に本発明の第２実施例を説明する。なお、第１実施例と同一及び相当箇所には同一符号を付してその詳細な説明は省略する。
【００２９】
本実施例では、凹部９ｃに連続して設けた溝部９ｅを設けたものである。溝部９ｅを除いて、フロートアーム１０の端部１０ａと固定部材１２との周囲に突出部９ｄを設けたものである。この溝部９ｅは、フロート９を側面から（図４中の矢印方向から）見た場合に、フロートアーム１０の端部１０ａと固定部材１２を視認して確認することができるものである。このように構成したことにより、第１実施例と同様の作用効果を得ることができるとともに、固定部材１２にプッシュナットを用いた場合に、プッシュナットの取付の良否を目視で確認することができ、製造工程での組み付け確認作業が容易になる。
【００３０】
また、このように、フロートアーム１０の端部１０ａが露出したことにより、端部１０ａの側面からはめ込むＥリングを固定部材１２として採用することができる。
【００３１】
【発明の効果】
以上、本発明によれば、初期の目的を達成することができ、フロートがコンパクトで浮力のある液面検出装置を提供することができる。
【図面の簡単な説明】
【図１】本発明の第１実施例の側面図である。
【図２】同実施例のフロートの側面図である。
【図３】同実施例のフロートの断面図である。
【図４】本発明の第２実施例のフロートの断面図である。
【図５】図４中Ａ−Ａ線の断面図である。
【符号の説明】
１    液面検出装置
９    フロート
９ａ  貫通孔
９ｂ  溝
９ｃ  凹部
９ｄ  突出部
１０    フロートアーム
１０ａ  端部
１０ｂ  主アーム部
１２    固定部材
【図１】
2004354322.tif 000003
【図２】
2004354322.tif 000004
【図３】
2004354322.tif 000005
【図４】
2004354322.tif 000006
【図５】
2004354322.tif 000007